(57)【特許請求の範囲】
【請求項１】
車両の座席から車外を撮影した映像を表示する表示装置、香料を含む薬剤を収容する薬剤収容部、及び被験者の生理情報を取得する取得装置、を有する試験空間を準備する、第１ステップと、
前記試験空間の被験者に対し、前記取得装置により、当該被験者の生理情報を取得しつつ、前記表示装置に表示した前記映像を見せるとともに、前記薬剤収容部から排出される前記薬剤の匂いをかがせる、第２ステップと、
前記第２ステップ中に前記取得装置により取得した被験者の生理情報の変化から、前記香料の評価を行う第３ステップと、
を備えている、乗り物酔い止め用香料の評価方法。
【請求項２】
前記第２ステップを複数の被験者に対して行う、請求項１に記載の乗り物酔い止め用香料の評価方法。
【請求項３】
香料の異なる複数の前記薬剤を準備するステップをさらに備え、
前記薬剤毎に、前記第１及び第２ステップを行い、
前記第３ステップにおいては、前記複数の薬剤の中から、前記生理情報の変化の小さい薬剤の評価を高くする、請求項１または２に記載の乗り物酔い止め用香料の評価方法。
【請求項４】
前記生理情報は、前記被験者の、心電図に基づく情報、皮膚コンダクタンス反応に基づく情報、呼吸に基づく情報の少なくとも１つである、請求項１から３のいずれかに記載の乗り物酔い止め用香料の評価方法。
【請求項５】
前記映像は、前記車両の後部座席より車外を撮影したものである、請求項１から４のいずれかに記載の乗り物酔い止め用香料の評価方法。
【請求項６】
前記被験者は、子供である、請求項１から５のいずれかに記載の乗り物酔い止め用香料の評価方法。
【請求項７】
前記薬剤収容部には、前記車両の車内の臭いを発する部材が収容されている、請求項１から６のいずれかに記載の乗り物酔い止め用香料の評価方法。
【発明の詳細な説明】
【技術分野】
【０００１】
本発明は、乗り物酔い止め用香料の評価方法に関する。
【背景技術】
【０００２】
よい香りは、リラックス効果が高いことが知られており、例えば、天然精油と自律神経系との関係については、アロマテラピーを発端として数多くの研究が行われている。例えば、非特許文献１では、ベルガモット精油により、被験者の疲労などが減少することが見出されている。）。
【先行技術文献】
【特許文献】
【０００３】
【非特許文献１】「ベルガモット精油による芳香浴の自律神経系および情動に及ぼす効果」、渡邉映理ほか、Ａｒｏｍａ  Ｒｅｓｅａｒｃｈ  Ｎｏ．５４（Ｖｏｌ．１４／Ｎｏ．２  ２０１３）
【発明の概要】
【発明が解決しようとする課題】
【０００４】
上記のような香りの効果は、種々の用途に用いられることが考えられるが、その１つとして、乗り物酔いの抑制を行うことが考えられる。しかしながら、乗り物酔いは、人によるバラツキが大きく、多くの人を満足する香料を特定することは難しい。例えば、官能評価のような被験者の主観を頼りにする評価方法では、乗り物酔い止めに効果のある香料を特定することは困難である。本発明は、この問題を解決するためになされたものであり、乗り物酔い止めに効果のある香料を精度良く評価することができる、乗り物酔い止め用香料の評価方法を提供することを目的とする。
【課題を解決するための手段】
【０００５】
本発明に係る乗り物酔い止め用香料の評価方法は、車両の座席から車外を撮影した映像を表示する表示装置、香料を含む薬剤を収容する薬剤収容部、及び被験者の生理情報を取得する取得装置、を有する試験空間を準備する、第１ステップと、前記試験空間の被験者に対し、前記取得装置により、当該被験者の生理情報を取得しつつ、前記表示装置に表示した前記映像を見せるとともに、前記薬剤収容部から排出される前記薬剤の匂いをかがせる、第２ステップと、前記第２ステップ中に前記取得装置により取得した被験者の生理情報の変化から、前記香料の評価を行う第３ステップと、を備えている。
【０００６】
上記乗り物酔い止め用香料の評価方法においては、前記第２ステップを複数の被験者に対して行うことができる。
【０００７】
上記各乗り物酔い止め用香料の評価方法においては、香料の異なる複数の前記薬剤を準備するステップをさらに備え、前記薬剤毎に、前記第１及び第２ステップを行い、前記第３ステップにおいては、前記複数の薬剤の中から、前記生理情報の変化の小さい薬剤の評価を高くすることができる。
【０００８】
上記各乗り物酔い止め用香料の評価方法において、前記生理情報は、前記被験者の、心電図に基づく情報、皮膚コンダクタンス反応に基づく情報、呼吸に基づく情報の少なくとも１つとすることができる。
【０００９】
上記各乗り物酔い止め用香料の評価方法において、前記映像は、前記車両の後部座席より車外を撮影したものとすることができる。
【００１０】
上記各乗り物酔い止め用香料の評価方法は、前記被験者を、子供とすることができる。
【００１１】
上記各乗り物酔い止め用香料の評価方法において、前記薬剤収容部には、前記車両の車内の臭いを発する部材を収容することができる。
【発明の効果】
【００１２】
本発明に係る上記乗り物酔い止め用香料の評価方法によれば、乗り物酔い止めに効果のある香料を精度良く評価することができる。
【図面の簡単な説明】
【００１３】
【図１】本発明の一実施形態に係る評価方法を実施する評価設備の概略構成を示す平面図である。
【図２】図１の縦断面図である。
【発明を実施するための形態】
【００１４】
以下、本発明に係る乗り物酔い止め用香料の評価方法の一実施形態について図面を参照しつつ説明する。この評価方法では、乗り物酔い止めに効果のある香料を評価するためのものである。
【００１５】
＜１．評価設備＞
まず、本発明に係る乗り物酔い止め用香料の評価を行うための評価設備について説明する。図１はこの評価設備の概略構成を示す平面図、図２は図１の縦断面図である。
【００１６】
図１に示すように、この評価設備は、評価を行うための試験空間１を備えており、この試験空間１内に、被験者が座る座席２と、この座席２の前方に配置された表示装置３と、評価を行うべき香料を含む薬剤が収容された薬剤収容部４と、被験者の生理情報を取得するための取得装置５と、が配置されている。以下、各部材について説明する。
【００１７】
試験空間１は、一対の側壁１１１と、各側壁１１１の前端部同士を連結する前壁１１２と、を備えたコ字状の壁体１１、及びこの壁体１１の上部に配置された天井部１２を備えており、これら壁体１１及び天井部１２で囲まれた空間（例えば、幅１．５ｍ、長さ３ｍ、高さ１．５ｍの空間）内で試験が行われる。座席２は、被験者が座るものであるが、乗り物酔いの対象となる乗り物の座席であることが好ましい。したがって、一般的には、自動車の座席、またはそのような座席を模した座席が用いられる。座席２は、後述する表示部３１に表示される映像を見ることができるように、例えば、前壁１１２から１．２ｍ程度離れた位置に配置される。
【００１８】
表示装置３は、前壁１１２に設置される表示部３１と、この表示部３１を制御するための制御部３２とを備えている。表示部３１は、スクリーンや液晶モニタなどで構成され、自動車の座席から車外を撮影した映像を表示するものである。表示部３１としてスクリーンを用いる場合には、このスクリーンに対してプロジェクタから映像を投影する。
【００１９】
また、制御部３２は、パーソナルコンピュータなどにより構成され、プロジェクタや液晶モニタに対して、映像情報を送信する。制御部３２は、多数の映像を保存しておくことができる。このような映像は、予め、運転中の自動車の座席から外部を撮影したものであり、種々のものを準備しておくことができる。例えば、自動車の前部席や後部座席から前方を撮影した映像とすることができる。このほか、自動車の側方を撮影した映像や、ワンボックスカーのような自動車の場合には、３列目やそれよりも後方から前方や側方を撮影した映像であってもよい。また、撮影場所として、市街地を走行しているもの、山間部を走行しているものなど、撮影場所も適宜変更したものを準備することができる。以下では、これらの映像をまとめて、車外映像と称することとする。
【００２０】
薬剤収容部４は、評価対象となる香料が含まれた薬剤を収容するものである。薬剤は、固形状、液状のいずれであってもよい。薬剤収容部４は、一方の側壁１１１から試験空間１の座席２まで延びる筒状の通気管４１と、この側壁１１１において試験空間１の外部側に配置される薬剤設置部４２と、を備えている。薬剤設置部４２は、閉じた内部空間を有する箱などで構成され、評価対象とする香料が含まれた薬剤が配置される。薬剤は、例えば、薬剤容器に収容され、薬剤設置部４２に配置される。また、この薬剤設置部４２には、自動車の臭いを発生させるもの、例えば、自動車の座席の材料、つまり、表面カバーやクッション、またはパネルなどの自動車の内装材を配置しておくこともできる。以下、これらを車臭発生材と称することとする。
【００２１】
また、薬剤設置部４２には、上述した通気管４１が連結されており、薬剤設置部４２の内部空間に連通されている。そして、この通気管４１は、薬剤設置部４２から試験空間１の座席２付近まで延びている。すなわち、通気管４１の先端が、座席２に座った被験者の顔付近、例えば、１０〜１５ｃｍ程度離れた位置に配置されるように、通気管４１の位置が調整されている。これにより、薬剤設置部４２に配置された薬剤の匂いが、通気管４１を通じて被験者の顔付近まで流れ出るようになっている。
【００２２】
なお、通気管４１または薬剤設置部４２には、ファンを配置することができ、これによって、薬剤の匂いを強制的に通気管４１の先端側へ送り出すことができる。
【００２３】
次に、取得装置５について説明する。取得装置５は、被験者の生理情報を取得するためのものであり、被験者の体に取り付けられるセンサ５１と、このセンサ５１から取得された生理情報が伝達される制御部５２と、を備えている。生理情報としては、種々のものを採用することができるが、例えば、被験者の、心電図に基づく情報、皮膚コンダクタンス反応に基づく情報、呼吸に基づく情報などの、少なくとも１つを採用することができる。そして、上述したセンサ５１は、これら生理情報を取得するためのものである。以下、生理情報の取得について説明する。
【００２４】
（１）心電図
心電図を得るにはディスポーザブル電極（例えば、エールローデＳＭＰ−３００ｍ  積水化成品工業社製）を胸部に取付け、４チャンネル生体アンプ（Ｐｏｌｙａｍ４  ニホンサンテク社製）を用いて所定の時定数で計測することができる。具体的な生理情報の取得方法としては、例えば、以下の方法を取ることができる。
【００２５】
すなわち、心電図波形にＲ波強調フィルタをかけてＲ波を検出し、ＲＲ間隔を求める。そして、１拍ごとのＲＲ間隔データを１分あたりの心拍数に換算して瞬時心拍率（ＨＲ）を求め、３次スプライン補間を用いて、５０ｍｓごとの等時間間隔データに変換し、これに高域遮断周波数０．０４Ｈｚのローパスフィルタをかけたものを心拍数のゆっくりした変化として求める（ＨＲｍｅａｎ）。心拍変動指標は瞬時心拍のスプライン補間波形よりＦＦＴを用いて振幅スペクトルを求め、０．０４〜０．１５Ｈｚの低周波数帯域成分（ＨＲＶ−ＬＦ）、０．０８〜０．１５Ｈｚの中間周波数帯域成分（ＨＲＶ−ＭＦ）、０．１５〜０．５Ｈｚの高周波数帯域成分（ＨＲＶ−ＨＦ）を定量化する。また、心電図波形に低域遮断周波数０．５Ｈｚのハイパスフィルタをかけ、これを元の波形から差し引いたものを心電図基線変動とする。さらに、心拍変動と同等の帯域成分および胃電図のｔａｃｈｙｇａｓｔｎａ（ＴＧ）として０．０６〜０．１６Ｈｚ成分を求める。
【００２６】
（２）皮膚コンダクタンス
皮膚コンダクタンスは、非利き手の指にディスポーザブル電極（例えば、ＰＰＳ−ＥＤＡｍ  積水化成品工業社製）を装着して、皮膚コンダクタンス計測装置（例えば、ＡＰ−Ｕ０３０ｍ  ニホンサンテク社製）とアンプ（例えば、ＭａＰ１７２０ＣＡ  ニホンサンテク社製）を用いて計測することができる。具体的な生理情報の取得方法としては、例えば、以下の方法を取ることができる。
【００２７】
皮膚コンダクタンス（ＳＣ）のデータに高域遮断周波数０．０４Ｈｚのローパスフィルタをかけたものを皮膚コンダクタンス水準（ＳＣＬ）とする。そして、ＳＣからＳＣＬを差し引いたものを、皮膚コンダクタンス反応（ＳＣＲ）とし、絶対値をとってから平均値を求める。
【００２８】
（３）呼吸
呼吸は、被験者の腹部に装着される呼吸ピックアップ（例えば、４５３６０ｍ，日本サンテク社製）をセンサとして用いることができる。この呼吸ピックアップは、腹部の周囲の長さの変化に伴って伸縮することにより電気抵抗が変化するものであり、これに携帯用アンプ（例えば、Ｐｏｌｙａｍ４−ＲＥＳＰ  ニホンサンテク社製）を接続して計測を行うことができる。具体的な生理情報の取得方法としては、例えば、以下の方法を取ることができる。
【００２９】
呼吸波形にＦＦＴを施して得た振幅スペクトルより、平均呼吸振幅（Ｒｅｓｐ−ａｌｌ）、心拍変動と同等の帯域で低周波数成分、中間周波数帯域成分（Ｒｅｓｐ−ＭＦ）、重心周波数（Ｒｅｓｐ−ＧＦ），ピーク周波数（Ｒｅｓｐ−ＰＦ）を求め，さらに呼吸の不安定指標として、重心周波数とピーク周波数の差の絶対値（Ｒｅｓｐ−Ｄｉｆｆ）を求める。
【００３０】
こうしてセンサ５１により得られた電気的な情報は、図示を省略するＡＤ変換器によりデジタル信号に変換され、所定のサンプリング周波数（例えば、１ｋＨｚ）で、制御部５２に送信される。制御部５２は、パーソナルコンピュータなどで構成され、センサ５１から送信されたデジタル信号を受信し、これを生理情報として記憶する。また、制御部５２は、記憶された生理情報の分析も行う。
【００３１】
＜２．評価方法＞
次に、上記のような評価設備を用いた乗り物酔い止め用香料の評価方法について説明する。まず、被験者を試験空間１に案内し、座席２に座らせるとともに、被験者の体に上述したいずれかのセンサ５１を取り付ける。次に、評価対象となる香料が含まれた薬剤を薬剤収容部４の薬剤設置部４２に配置する。そして、必要に応じてファンを駆動し、揮散した薬剤を通気管４１を介して試験空間１内に送り出す。また、必要に応じて、薬剤設置部４２に車臭発生材（車のシート内部のスポンジ、カバー及びエアコンから発せられるカビ臭等）を配置することもできる。
【００３２】
次に、表示部３１に、車外映像を表示させる。このとき、表示される車外映像は、被験者によって変えることができる。例えば、子供を被験者とする場合には、車外映像として、自動車の後部座席からの映像を見せることが好ましい。
【００３３】
そして、この状態で、被験者に車外映像を見せつつ、生理情報を取得する。すなわち、被験者に対し、車外映像を見せることで擬似的に自動車に乗っている状態を再現する。このとき、車臭発生材を薬剤収容部４に配置している場合には、さらにこの状態を精度良く再現することができる。そして、このような自動車に乗っている状態において、薬剤収容部４からは揮散した香料が流れ出てくるため、被験者は、その匂いをかぎながら、自動車に乗っている状態を擬似的に体験する。なお、試験を行う時間は、特には限定されないが、例えば、１０〜１５分程度とすることができる。
【００３４】
そして、取得装置５の制御部５２では、被験者に装着されたセンサ５１から送信される生理情報の経時的変化を記録する。
【００３５】
以上のような試験を、複数の被験者に対し、また、複数の香料に対して行う。そして、その結果に対しては、以下のような評価を行う。乗り物酔いの兆候としては、上述した交感神経系賦活を反映するＨＲｍｅａｎの上昇、ＳＣＬの上昇、ＳＣＲの増大、機序は解明されていないが、胃電図や汗腺活動の反映と考えられる心電図基線変動の増大、及び一過性の大きな呼吸の混入や呼吸不安定性の上昇（Ｒｅｓｐ−ＭＦの増大、Ｒｅｓｐ−Ｄｉｆｆの上昇）などが生じることが、分かっている。
【００３６】
そのため、乗り物酔いが発生すると、試験中に、生理情報が変化する。そこで、本実施形態では、試験中に取得された生理情報の経時的変化が小さいときに用いられていた香料は、乗り物酔い止めに効果があるものと判定する。例えば、試験の開始から終了までの間の最も高い生理情報の数値と、最も低い生理情報の数値との差が小さければ、乗り物酔い止めに効果があると判定することができる。具体的な評価方法は、種々のものがあるが、単一の香料について評価を行う場合には、例えば、同一の被験者で、薬剤を薬剤収容部４に配置しない試験を合わせて行い、薬剤を配置した場合にのみ、生理情報の変化が認められない場合には、当該薬剤の香料は乗り物酔い止めに効果があると判定する。あるいは、複数の香料を含む薬剤に対して、同一の被験者で試験を行った場合、その中で生理情報の変化に差がある場合には、差の小さい試験に係る香料が乗り物酔い止めに効果があると判定する。そして、これを、複数の被験者からの結果を参酌することで、評価の精度をより高めることができる。複数の被験者を複数の群に分け、それぞれに、薬剤あり、薬剤なしでの試験を行ったり、薬剤ありの群と薬剤なしの群を作って試験を行ってもよい。さらに、複数の被験者に、香り提示順序を変えた実験を実施し、統計的な検定を行えば、評価の精度をより高めることができる。
【００３７】
また、被験者に対しては、事前アンケートで、酔いやすさの程度などを聞いておき、これを考慮した判定を行うこともできる。さらに、複数の被験者で試験を行う場合には、事前アンケートに基づいて均質な被験者群を作っておくこともできる。
【００３８】
＜３．特徴＞
以上のように、本実施形態によれば、乗り物酔い止めに効果のある香料の評価を行うに当たって、生理情報を用いて評価を行っている。したがって、被験者の主観によらず、香料の評価を行うことができる。特に、乗り物酔いは、被験者間の感じ方（主観）のバラツキが大きく、また、子供を被験者とした場合には、主観による評価の信憑性が低い可能性がある。そこで、本実施形態のように、主観によらない評価を行うと、香料の効果の評価を精度良く行うことができる。すなわち、乗り物酔い以外の要因で生理情報の数値が変化することはしばしばあるが，酔いが生じているのに生理情報の数値が変化しないことはまれであるので，この判定方法は妥当である．
【００３９】
＜４．変形例＞
以上、本発明の一実施形態について説明したが、本発明はこれに限定されるものではなく、その趣旨を逸脱しない限りにおいて種々の変更が可能である。なお、以下の変形例は、適宜組合わせ可能である。
【００４０】
＜４−１＞
試験空間１は、上記実施形態のものに限定されず、少なくとも座席２、表示装置３、薬剤収容部４、及び取得装置５が設けられていればよく、必ずしも閉じた空間でなくてもよい。
【００４１】
＜４−２＞
上記実施形態では、表示装置３、及び取得装置５に個別に制御部３２，５２を設けているが、評価設備全体を統括する制御部により、制御することもできる。例えば、一台のパーソナルコンピュータで、表示装置３、取得装置５、薬剤収容部４のファンなど、すべての制御を行うこともできる。
【００４２】
＜４−３＞
薬剤収容部４の構成は、特には限定されず、薬剤を収容し、被験者に揮散した香料をかがせることができればよい。したがって、薬剤設置部４２、通気管４１といった分けた構成にしなくてもよく、またすべての部材を壁体１１の内側に配置することもできる。
【００４３】
＜４−４＞
生理情報は、種々のものを採用することができる。すなわち、上述した心電図等は、あくまでも例示であり、乗り物酔いの兆候を示し、これを電気信号として取得できるような生理情報は、すべて適用可能である。
【００４４】
＜４−５＞
上記実施形態では、生理情報を評価としているが、被験者の主観的な評価を合わせて行い、これと生理情報による評価を組み合わせて、評価することもできる。
【符号の説明】
【００４５】
１  試験空間
２  座席
３  表示装置
４  薬剤収容部
５  取得装置
【図１】
0006594152.tif 000002
【図２】
0006594152.tif 000003